(57)【要約】【課題】従来のパチンコ機における球発射装置のハンマーの構造では、ハンマー本体の先端側取付部位の先端面とハンマーヘッドの先端側内面との間に空間が残るような状態にハンマーヘッドが取付けられてしまい、球飛びが安定しないハンマーとなってしまうという課題があった。【解決手段】ハンマー本体１の先端側取付部位３に帽子状のハンマーヘッド２を嵌合して取付けて成るパチンコ機における球発射装置のハンマーにおいて、先端側取付部位３の先端面３１あるいはこの先端面３１と対面するハンマーヘッド２の先端側内面と外部とを繋ぐ空気逃がし手段（溝４等）を設けるようにした。【選択図】　　　　図１
2004049609.tif 000002
【特許請求の範囲】
【請求項１】
ハンマー本体の先端側取付部位に帽子状のハンマーヘッドを嵌合して取付けて成るパチンコ機における球発射装置のハンマーにおいて、先端側取付部位の先端面あるいはこの先端面と対面するハンマーヘッドの先端側内面と外部とを繋ぐ空気逃がし手段を設けたことを特徴とするパチンコ機における球発射装置のハンマー。
【請求項２】
空気逃がし手段は、ハンマー本体の先端側取付部位の先端面から後端面に延長する溝により形成されたことを特徴とする請求項１に記載のパチンコ機における球発射装置のハンマー。
【請求項３】
空気逃がし手段は、ハンマーヘッドの先端側内面から開放端面に延長する溝あるいは突起により形成されたことを特徴とする請求項１に記載のパチンコ機における球発射装置のハンマー。
【請求項４】
空気逃がし手段は、ハンマーヘッドの先端側内面近傍の内周面から外周面に繋がる貫通孔により形成されたことを特徴とする請求項１に記載のパチンコ機における球発射装置のハンマー。
【請求項５】
空気逃がし手段は、ハンマー本体の先端側取付部位の先端面より先端側取付部位内部を経由して外部に繋がる貫通孔により形成されたことを特徴とする請求項１に記載のパチンコ機における球発射装置のハンマー。
【請求項６】
ハンマーヘッドは、緩衝機能を有する材料により、内周径がハンマー本体の先端側取付部位の外周径より小さく形成されたものより成り、ハンマー本体の先端側取付部位は、ハンマー本体の先端側取付部位の先端面とハンマーヘッドの先端側内面とが密着した状態でハンマーヘッドの開放端側が材料の弾性により係止する後端面を有することを特徴とする請求項１ないし請求項５のいずれかに記載のパチンコ機における球発射装置のハンマー。
【発明の詳細な説明】
【０００１】
【発明の属する技術分野】
本発明はパチンコ機における球発射装置のハンマーの構造に関する。
【０００２】
【従来の技術】
図７は従来のパチンコ機１０１を示し、球発射装置１０２の発射レール１０３と遊技盤１０４のガイドレール１０５との間に隙間１０６を形成し、パチンコ機１０１の前面に設けられた皿装置１０７からの発射レール１０３に供給された球Ｐを球発射装置１０２のソレノイド等の駆動源により駆動するハンマー１０８で遊技盤１０４のガイドレール１０５で囲まれた内側の遊技領域１０９に向けて発射する。尚、当該遊技領域１０９に向けて発射された球Ｐがガイドレール１０５に沿って球発射装置１０２の方向に戻ってきた場合、隙間１０６およびファール球抜き溝１１０を経由して皿装置１０７に排出するようになっている。また、ハンドルグリップ１１１の操作でソレノイド等の駆動源の駆動力が調整されて球発射装置１０２のハンマー１０８で弾かれる球Ｐの発射力が決まる。
図８は上記球発射装置１０２とは異なる球発射装置１２０を搭載したパチンコ機１０１を示す図である。尚、図８において図７の部分と同一機能を果たす部分は同一符号を付して説明を省略する。球発射装置１２０はロータリー電磁ソレノイド等の駆動源の出力軸１２１にハンマー１２２を一緒に回転するように備える。ハンマー１２２の先端における動線上には皿装置１０７から供給された球Ｐを受け取る縦溝状の発射レール１２３を備える。尚、遊技領域１０９に向けて発射された球Ｐがガイドレール１０５に沿って球発射装置１２０の方向に戻ってきた場合、ファール球抜き溝１２４を経由して皿装置１０７に排出する。
【０００３】
上記各ハンマー１０８，１２２は、ハンマー本体とこのハンマー本体の先端側取付部位に嵌合されて取付けられる帽子状のハンマーヘッドとにより構成される。例えば、図９に示すように、ハンマー１２２は、金属製のハンマー本体１３０とこのハンマー本体１３０の先端側取付部位１４０に嵌合されて取付けられる帽子状のハンマーヘッド１５０とにより構成される。このハンマーヘッド１５０は、緩衝機能を有する軟質合成樹脂材料（例えばシリコンゴム等）で形成されている。このハンマーヘッド１５０により、ハンマー本体１３０への打撃衝撃を緩和しながら球Ｐを弾き出すことができ、打球音も抑えることができる。尚、１６０は当該ハンマー１２２を駆動源の出力軸１２１に取付けるための取付孔である。また、ハンマー１０８の先端側も同様な構成である。即ち、ハンマー本体の先端側取付部位に帽子状のハンマーヘッドが嵌合されて取付けられている。
【０００４】
【発明が解決しようとする課題】
上記構造では、ハンマー本体の先端側取付部位にハンマーヘッドを圧入嵌合して取付ける際に、ハンマー本体の先端側取付部位の先端面とこの先端面と対面するハンマーヘッドの先端側内面との間に溜まる空気が逃げず、空気溜りが残った状態となってしまう場合がある。つまり、圧入時に、ハンマー本体の先端側取付部位の先端面とハンマーヘッドの先端側内面との間の空気の逃げ場所がないので、例えば図１０に示すように、ハンマー本体１３０の先端側取付部位１４０の先端面１４１とハンマーヘッド１５０の先端側内面１５１との間の空間Ｓが残った状態に取付けられてしまう場合がある。この空間Ｓが残ると、球Ｐを打撃する位置の違いあるいは球Ｐの質量の違い等により、球飛びが不安定なハンマーとなってしまう。また、特にハンマーヘッドの取付を手作業で行う場合においては、ハンマー本体の先端側取付部位の軸心とずれた状態にハンマーヘッドが取付けられてしまうこともあり、この場合、球飛びが非常に不安定なハンマーとなってしまう。つまり、従来の構造では、不完全な状態、即ち、ハンマー本体の先端側取付部位の先端面とハンマーヘッドの先端側内面との間に空間が残るような状態にハンマーヘッドが取付けられてしまい、球飛びが安定しないハンマーとなってしまうという課題があった。
【０００５】
【課題を解決するための手段】
本発明は、ハンマー本体の先端側取付部位に帽子状のハンマーヘッドを嵌合して取付けて成るパチンコ機における球発射装置のハンマーにおいて、先端側取付部位の先端面あるいはこの先端面と対面するハンマーヘッドの先端側内面と外部とを繋ぐ空気逃がし手段を設けるようにした。空気逃がし手段は、ハンマー本体の先端側取付部位の先端面から後端面に延長する溝により形成したり、ハンマーヘッドの先端側内面から開放端面に延長する溝あるいは突起により形成したり、ハンマーヘッドの先端側内面近傍の内周面から外周面に繋がる貫通孔により形成したり、ハンマー本体の先端側取付部位の先端面より先端側取付部位内部を経由して外部に繋がる貫通孔により形成した。このように、空気逃がし手段を設けたので、安定した球飛びを実現するハンマーを得るためのハンマーの組立作業性を向上できる。
また、ハンマーヘッドは、緩衝機能を有する材料により、内周径がハンマー本体の先端側取付部位の外周径より小さく形成されたものを用い、ハンマー本体の先端側取付部位には、ハンマー本体の先端側取付部位の先端面とハンマーヘッドの先端側内面とが密着した状態でハンマーヘッドの開放端側が材料の弾性により係止する後端面を形成した。この係止により、ハンマーヘッドの抜け等を防止でき、ハンマーヘッドの先端側内面が先端側取付部位の先端面に密着した状態を維持できるので、安定した球飛びを維持できるハンマーが得られる。
【０００６】
【発明の実施の形態】
実施形態１．
図１，２は実施形態１によるハンマーの先端側を示す図であり、図１は実施形態１の特徴であるハンマー本体の先端側取付部位の外観を示す斜視図、図２（ａ）は先端側取付部位にハンマーヘッドを取付けた状態を示す縦断面図、図２（ｂ）は横断面図である。
各図において、１はハンマー本体、２はこのハンマー本体１の先端側取付部位３に嵌合して取付けられる帽子状のハンマーヘッドである。先端側取付部位３の外周には、この先端側取付部位３の先端面３１から後端面３２に真っ直ぐに延長する溝４が形成されている。即ち、ハンマーヘッド２を挿入する方向と同方向に延長する溝４が形成されている（尚、溝４の代わりに突起を設けてもよいが、いずれにしろ、先端側取付部位３の外周側とハンマーヘッド２の内周側との間に先端側取付部位３の先端面３１から後端面３２に延長する溝が形成されることになる）。従って、ハンマー本体１の先端側取付部位３にハンマーヘッド２を圧入して取付ける際に、上記溝４が空気逃がし手段として機能し、溝４を介して空気が外部に逃げるので、圧入時の空気抵抗が少なくなり、ハンマー本体１の先端側取付部位３の先端面３１とハンマーヘッド２の先端側内面２１との間に空間Ｓが残らないように、ハンマーヘッド２を簡単に取付けることができる。即ち、ハンマーヘッド２の装着作業における装着容易性、装着確実性が向上するので、ハンマー本体１の先端側取付部位３の先端面３１にハンマーヘッド２の先端側内面２１が密着する状態にハンマーヘッド２を容易に取付けることができるようになり、安定した球飛びを実現するハンマーを得るためのハンマーの組立作業性を向上できる。
また、ハンマーヘッド２は、緩衝機能を有する軟質合成樹脂材料等（例えばシリコンゴム等）により、内周径が先端側取付部位３の外周径より若干小さく形成されている。従って、ハンマーヘッド２の開放端面２２が先端側取付部位３の後端面３２を超えるとこのハンマーヘッド２の開放端側が材料の弾性により先端側取付部位３の後端面３２に係止する。即ち、ハンマーヘッド２の先端側内面２１が先端側取付部位３の先端面３１に密着した状態でハンマーヘッド２の開放端面２２側が材料の弾性により先端側取付部位３の後端面３２に係止するので、ハンマーヘッド２が先端側取付部位３に取付けられた後のハンマーヘッド２の抜け方向への移動や抜けを防止でき、ハンマーヘッド２の先端側内面２１が先端側取付部位３の先端面３１に密着した状態を維持できるので、安定した球飛びを維持できるハンマーが得られる。
【０００７】
実施形態２．
実施形態１では、ハンマー本体１の先端側取付部位３の外周に溝４を形成するようにしたが、ハンマー本体１の先端側取付部位３の外周に溝４を形成する代わりに、図３（ａ），（ｂ）に示すように、ハンマーヘッド２の内周面２３に、ハンマーヘッド２の先端側内面２１から開放端面２２に延長する突起２４や溝２５を設けるようにしてもよい。
【０００８】
実施形態３．
図４に示すように、ハンマーヘッド２の先端側内面２１の近傍の内周面２３から外周面２６に繋がる貫通孔２７により空気逃がし手段を形成してもよい。
【０００９】
実施形態４．
図５，６に示すように、ハンマー本体１の先端側取付部位３の先端面３１より先端側取付部位３の内部を経由して外部に繋がる貫通孔３３により空気逃がし手段を形成してもよい。
【００１０】
実施形態５．
また、実施形態１では、ハンマー本体１の先端側取付部位３の外周に、この先端側取付部位３の先端面３１から後端面３２に真っ直ぐに延長する溝４を形成する場合を説明したが、ハンマー本体１の先端側取付部位３の外周にこの先端側取付部位３の先端面３１から後端面３２に延長する螺旋状の溝や突起を形成するようにしてもよい。
【００１１】
実施形態２〜５でも、実施形態１と同様な効果が得られる。尚、通常、ハンマー本体１はプレス等で抜き加工された後に、旋盤などで加工して先端側取付部位３を形成する。そして、この先端側取付部位３に、上記のように溝４や貫通孔２７，３３を加工するが、このとき金属バリが発生する。この場合、バリを取り除くため面取り作業を行うことが好ましい。例えば、実施形態４，５では、この面取り作業を怠ると、ハンマーヘッド２の圧入装着作業に支障を来すばかりでなく、球飛びを不安定にする原因にもなる。ただし、実施形態１では、金属バリを取り除かなくても金属バリはハンマーヘッド２の挿入方向と同一方向に延長するので、ハンマーヘッド２を圧入するときにそれほど抵抗にはならない。つまり、ハンマーヘッド２を圧入装着するときに金属バリがハンマーヘッド２の内周面２３に食い込んでいくので、装着作業性はそれほど悪くならない。従って、実施形態１では、実施形態４，５に比べて、金属バリを取り除かなくても、圧入装着作業に著しく支障を来すことが少なく、球飛びを不安定にする原因にもなりにくいという効果がある。
【００１２】
また、ハンマー本体の先端側取付部位をハンマー本体とは別に製作して、先端側取付部位をハンマー本体に圧入などで組付けるようにしてもよい。ただし、この場合、先端側取付部位の軸心がずれる可能性もあるので、上述のようにハンマー本体をプレス等で抜き加工した後に、旋盤などで加工して先端側取付部位３を形成する方が好ましい。
【図面の簡単な説明】
【図１】実施形態１によるハンマーにおけるハンマー本体の先端側取付部位およびこの先端側取付部位に取付けられるハンマーヘッドを示す斜視図。
【図２】実施形態１によるハンマーにおけるハンマー本体の先端側取付部位にハンマーヘッドが取付けられた状態を示す断面図。
【図３】実施形態２によるハンマーにおけるハンマーヘッドを示す図。
【図４】実施形態３によるハンマーにおけるハンマー本体の先端側取付部位にハンマーヘッドが取付けられた状態を示す断面図。
【図５】実施形態４によるハンマーにおけるハンマー本体の先端側取付部位およびこの先端側取付部位に取付けられるハンマーヘッドを示す斜視図。
【図６】実施形態４によるハンマーにおけるハンマー本体の先端側取付部位にハンマーヘッドが取付けられた状態を示す断面図。
【図７】従来のハンマーを有する球発射装置を備えたパチンコ機を示す正面図。
【図８】図７とは異なる従来のハンマーを有する球発射装置を備えたパチンコ機を示す正面図。
【図９】従来のハンマーを示す分解斜視図。
【図１０】従来のハンマーにおけるハンマー本体の先端側取付部位にハンマーヘッドが取付けられた状態を示す断面図。
【符号の説明】
１　ハンマー本体、２　ハンマーヘッド、３　先端側取付部位、４，２５　溝、２１　ハンマーヘッドの先端側内面、２２　ハンマーヘッドの開放端面、
２４　突起、２７，３３　貫通孔、３１　先端側取付部位の先端面、
３２　先端側取付部位の後端面。
【図１】
2004049609.tif 000003
【図２】
2004049609.tif 000004
【図３】
2004049609.tif 000005
【図４】
2004049609.tif 000006
【図５】
2004049609.tif 000007
【図６】
2004049609.tif 000008
【図７】
2004049609.tif 000009
【図８】
2004049609.tif 000010
【図９】
2004049609.tif 000011
【図１０】
2004049609.tif 000012